(57)【要約】【課題】置き忘れ防止機能付き荷物置き部を有し、収納ケース出力を可能にする画像プリントシステム等を提供する。【解決手段】画像プリントシステム１００は、撮影空間１０５の出入口に人体検知センサー１０２を設置し、画像出力装置１０１に重量検知センサー２１５を有する荷物ネット２１４を取り付ける。利用者が荷物ネット２１４に荷物を入れ、荷物が入った状態で外に出ると、画像出力装置１０１は、重量検知センサー２１５からの検知信号と、人体検知センサーからの検知信号２１４を受信し、スピーカー２１１より警報、又は音声出力を行う。【選択図】  図２
2004295529.tif 000002
【特許請求の範囲】
【請求項１】
画像データを入力する入力手段と、
前記画像データを印刷出力する出力手段と、
を備える画像プリントシステムであって、
撮影空間内への人体の出入りを検知する人体検知センサーと、
重量検知センサーを有する荷物置き部と、
前記重量検知センサーからの重量検知信号と、前記人体検知センサーからの人体検知信号に応じて、警報出力を行う荷物監視手段と、
を具備することを特徴とする画像プリントシステム。
【請求項２】
前記荷物監視手段は、他の処理手段と並列に処理することを特徴とする請求項１に記載の画像プリントシステム。
【請求項３】
前記荷物置き部は、ネット、又は布状のシートを有し、袋状にすることで荷物を置くことを特徴とする請求項１に記載の画像プリントシステム。
【請求項４】
前記荷物置き部は、ドリンクホルダーであることを特徴とする請求項１に記載の画像プリントシステム。
【請求項５】
前記入力手段は、記録媒体から前記画像データを読み取る記録媒体読取手段、原稿を走査して前記画像データを得る原稿読取り手段、被写体を撮像することにより前記画像データを得る撮像手段、のうちのいずれかであることを特徴とする請求項１から請求項４までのいずれかに記載の画像プリントシステム。
【請求項６】
入力された画像データ、予め保持する画像データのうち少なくともいずれかを用いて画像を加工し、新しい別の画像データを作成する画像加工手段、を更に具備することを特徴とする請求項１から請求項５までのいずれかに記載の画像プリントシステム。
【請求項７】
課金を行う課金手段、を更に具備することを特徴とする請求項１から請求項６記載の画像プリントシステム。
【請求項８】
入力された画像データに基づいて画像を印刷する画像出力装置であって、
印刷出力される最大サイズのプリント物のプリントサイズに応じて、プリント物を収納する収納ケースを選択し、出力する収納ケース出力手段と、
を具備することを特徴とする画像出力装置。
【請求項９】
前記プリント物は、撮像による証明写真、デジタルカメラ画像等による写真、シールプリント、はがき等であることを特徴とする請求項８記載の画像出力装置。
【請求項１０】
入力された画像データ、予め保持する画像データのうち少なくともいずれかを用いて画像を加工し、新しい別の画像データを作成する画像加工手段、を更に具備することを特徴とする請求項８、又は請求項９記載の画像出力装置。
【請求項１１】
課金を行う課金手段、を更に具備することを特徴とする請求項８から請求項１０までのいずれかに記載の画像出力装置。
【請求項１２】
コンピュータを請求項１から請求項７までのいずれかに記載の画像プリントシステムとして機能させるプログラム。
【請求項１３】
コンピュータを請求項１から請求項７までのいずれかに記載の画像プリントシステムとして機能させるプログラムを記録した記録媒体。
【請求項１４】
コンピュータを請求項８から請求項１１までのいずれかに記載の画像出力装置として機能させるプログラム。
【請求項１５】
コンピュータを請求項８から請求項１１までのいずれかに記載の画像出力装置として機能させるプログラムを記録した記録媒体。
【発明の詳細な説明】
【０００１】
【発明の属する技術分野】
本発明は、デジタルカメラで撮影した画像、スキャナで読込んだ画像、持参した記録媒体に記録されている画像データ、装置に予め保存してある画像等を合成編集してプリントできる画像プリントシステム等に関する。
【０００２】
【従来の技術】
デジタルカメラ等で撮影した画像は、従来のように写真店にフィルムを持ち込んで印刷してもらうのでなく、パソコンやプリンタなどを用いて自宅でプリントすることが可能である。また、既にプリントされた写真もスキャナー等で読み取り、焼き増し、引き延ばしなどを行うことができる。
【０００３】
ところが、撮影した画像をより美しく、様々な工夫を凝らして加工したいという要求が存在する一方で、デジタルカメラ、パソコン、プリンタ、スキャナー等の電子機器は進歩が速く、次々に性能の高い新製品が売り出されるため、個人が常に、最高級のプリント作成を行うことは難しく、また撮影された画像と合成するフレーム画像等の副画像も、個人では利用可能なものには限界が有る。
【０００４】
そこで、カメラ店等の店舗に設置された、比較的小さなスペースに設置することが可能な画像出力装置である、デジタルフォトプリント装置により、画像が記録された記録媒体や、既にプリントされた写真を持ちこんで、フレーム画像等を合成したりしてプリントする方法がある（デジタルフォトプリントシステム、例えば、［特許文献１］、［非特許文献１］参照。）。
【０００５】
また、画像データの入力手段としては、デジタルカメラを備えて、その場で撮影した画像データを入力データとして扱えるようにし、また、平面スキャナーを備えて、利用者が持参した写真プリント等をその場でスキャナ入力した画像データを入力データとして扱えるようにした結果、利用者の様々なプリント出力する要求に１台の出力装置で応えられるようにした画像出力装置も登場している。例えば、このような画像出力装置は、駅前の証明写真撮影コーナー、ゲームセンター等のアミューズメント施設に、設置されている（例えば、［特許文献２］参照）。
【０００６】
【特許文献１】
特開２００２−４６３２４号公報（第１８頁段落番号［０１４５］、図５〜図１０）
【特許文献２】
特開２００２−３１８４２１号公報
【非特許文献１】
大日本印刷株式会社、”デジカメプリントのすすめ”、［ｏｎｌｉｎｅ］、［２００２年１２月１日検索］、インターネット＜ＵＲＬ：ｈｔｔｐ：／／ｗｗｗ．ｄｉｇｉｃａｍａｔｅｓ．ｃｏｍ／ｓｕｓｕｍｅ／ｉｎｄｅｘ．ｈｔｍｌ＞
【０００７】
【発明が解決しようとする課題】
しかしながら、デジタルフォトプリント装置や画像出力装置では、撮影、プリント出力中、手持ちの荷物やコート等を置く場所がない為、床に直置きか、手で持って撮影しなければならなかった。また、撮影中は、撮影ボックス後ろや端に置いた荷物に注意が届かず、盗難の危険性があった。
【０００８】
また、プリント出力された撮像による証明写真、デジタルカメラ画像等による写真、シールプリント等を持ち帰る際、写真が折れ曲がったり、キズがついたりしないように、注意を払わなければならなかった。
【０００９】
本発明は、以上の問題点に鑑みてなされたものであり、置き忘れ防止機能付き荷物置き部を有し、プリント物の収納ケース出力を可能にする画像プリントシステム等を提供することを目的とする。
【００１０】
【課題を解決するための手段】
前述した目的を達成するために第１の発明は、画像データを入力する入力手段と、前記画像データを印刷出力する出力手段と、を備える画像プリントシステムであって、撮影空間内への人体の出入りを検知する人体検知センサーと、重量検知センサーを有する荷物置き部と、前記重量検知センサーからの重量検知信号と、前記人体検知センサーからの人体検知信号に応じて、警報出力を行う荷物監視手段と、を具備することを特徴とする画像プリントシステムである。
【００１１】
また、前記荷物監視手段は、他の処理手段と並列に処理することが望ましい。
また、前記入力手段は、記録媒体から前記画像データを読み取る記録媒体読取手段、原稿を走査して前記画像データを得る原稿読取り手段、被写体を撮像することにより前記画像データを得る撮像手段、のうちのいずれかであることが望ましい。
また、入力された画像データ、予め保持する画像データのうち少なくともいずれかを用いて画像を加工し、新しい別の画像データを作成する画像加工手段を、更に具備することが望ましい。
また、課金を行う課金手段を、更に具備することが望ましい。
【００１２】
「荷物置き部」は、ネット、又は布状のシートを有し、袋状にすることで荷物を置くものである。また、荷物置き部は、ドリンクホルダーである。さらに、荷物置き部は、重量検知センサーを有する。
「プリント物」は、撮像による証明写真、デジタルカメラ画像等による写真、シールプリント、はがき等である。
「収納ケース」は、プリント物を収納するケースであり、ビニール製の袋状のものや、紙製のケース状のもの等があり、サイズの異なる数種類の収納ケースを有する。
【００１３】
第１の発明では、画像データを入力し、画像データを印刷出力する画像プリントシステムにおいて、撮影空間内への人体の出入りを検知する人体検知センサーと、重量検知センサーを有する荷物置き部を設け、重量検知センサーからの重量検知信号と、人体検知センサーからの人体検知信号に応じて、警報出力を行う。
【００１４】
第２の発明は、入力された画像データに基づいて画像を印刷する画像出力装置であって、印刷出力される最大サイズのプリント物のプリントサイズに応じて、プリント物を収納する収納ケースを選択し、出力する収納ケース出力手段と、を具備することを特徴とする画像出力装置である。
【００１５】
第２の発明では、入力された画像データに基づいて画像を印刷する画像出力装置において、印刷出力される最大サイズのプリント物のプリントサイズに応じて、プリント物を収納する収納ケースを選択し、出力する。
【００１６】
第３の発明は、第１の発明の画像プリントシステムとして機能させるプログラムである。
第４の発明は、第１の発明の画像プリントシステムとして機能させるプログラムを記録した記録媒体である。
第５の発明は、第２の発明の画像出力装置として機能させるプログラムである。
第６の発明は、第２の発明の画像出力装置として機能させるプログラムを記録した記録媒体である。
【００１７】
上述のプログラムをＣＤ−ＲＯＭ等の記録媒体に保持させて流通させてもよいし、このプログラムを通信回線を介して送受することもできる。
【００１８】
【発明の実施の形態】
以下、添付図面を参照しながら、本発明に係る画像プリントシステム等の好適な実施形態について詳細に説明する。なお、以下の説明及び添付図面において、略同一の機能構成を有する構成要素については、同一の符号を付することにより重複説明を省略することにする。
【００１９】
最初に、図１を参照しながら、本発明の実施の形態に係る画像プリントシステム１００の構成について説明する。
図１は、画像プリントシステム１００の構成を示すブロック図である。
【００２０】
図１は、画像プリントシステムの１例であり、図１に示すように、画像プリントシステム１００は、画像出力装置１０１、人体検知センサー１０２等により実現される。
画像出力装置１０１は、画像データ読込書込手段１１１、画像編集合成手段１１２、素材データベース（素材ＤＢ）１１３、プリント手段１１４、注文内容入力手段１１５、課金手段１１６、荷物監視手段１１７、収納ケース出力手段１１８等を備える。
画像出力装置１０１と、人体検知センサー１０２間は、接続線を介して接続される。有線、無線は問わない。人体検知センサー１０２は、人の出入りを感知するセンサーであり、赤外線センサーや熱センサーを用いることができる。
【００２１】
画像データ読込書込手段１１１は、被写体１２１をデジタルカメラ等の撮像装置により撮像したり、原稿１２２をスキャナ装置等の原稿読取装置により読み取ったり、予め画像データが記録された記録媒体１２３から読み取ることにより、画像データを取得する。また、画像データ読込書込手段１１１は、画像出力装置１０１が作成した画像データを記録媒体１２３に記録することもできる。
記録媒体１２３は、例えば、スマートメディア、コンパクトフラッシュ（登録商標）カード（ＣＦカード）、フロッピー（登録商標）ディスク、ＰＣカード、ＣＤ−ＲＯＭ等である。
【００２２】
画像編集合成手段１１２は、１つ以上の入力または選択した画像データに対して、落書き、スタンプのような加工、画像データの切抜き、変倍、切抜いた画像の他の画像への貼付け等、合成編集等を対話的に行う対話型インターフェース手段と画像処理プログラムで構成される。加工や合成編集に扱う画像データとしては、素材データベース１１３に存在する素材画像データ、フレーム画像データ等を用いることもできる。
【００２３】
プリント手段１１４は、画像データを印刷する高解像度カラープリンタである。昇華型あるいはインクジェット型などの方式は問わない。プリント物１２４は、プリント出力された撮像による証明写真、デジタルカメラ画像等による写真、シールプリント、はがき等である。印刷されたプリント物１２４は、プリント物取出口に排出される。
【００２４】
注文内容入力手段１１５により、利用者は、出力すべき注文内容を必要に応じて選択する。選択する項目としては、プリントモードの選択（実画像データの通常の出力を行うのか、インデックスプリント出力を行うのか、はがきプリントを行うのか、シールプリントを行うのか、証明写真プリントを行うのか、等の指定）、さらに実画像データの通常の出力等の場合には、サムネイル画像を表示し、複数コマ分の画像データを入力した場合のどの画像をプリントするかの指定（デジタルカメラ画像を出力する場合のサムネイル画像のモニタ表示と画像選択）、プリント枚数やプリントサイズの指定などがある。尚、利用者は、画像を出力する前に、１つ以上の画像データを指定して加工および合成編集することができる。
【００２５】
注文内容入力手段１１５としては、例えば、ＣＲＴや液晶パネル等の表示手段と一体化されたタッチパネルや、キーボード、マウスやトラックボールのような各種ポインタを用いることができる。
課金手段１１６は予め投入された金額に応じて、画像出力装置１０１の各機能を有効とする。
【００２６】
荷物監視手段１１７は、出入口に設けた人体検知センサー１０２と、荷物ネット２１４に設けた重量検知センサー２１５からの検知信号を受信し、荷物ネット２１４内の荷物の置き忘れの監視制御を行う。
収納ケース出力手段１１８は、プリント物１２４のプリントサイズに応じた収納ケース１２５を選択し、プリント物１２４とともに、プリント物取出口に排出する。収納ケース１２５は、プリント物１２４を収納するケースであり、ビニール製の袋状のもの、又は紙製のケース状のもの等があり、サイズの異なる複数種類の収納ケース１２５を用意する。
【００２７】
次に、図２を参照しながら、画像プリントシステム１００の外観構成について説明する。図２は、画像プリントシステム１００の概略斜視図である。
【００２８】
図２に示すように、画像プリントシステム１００は、ボックス状の枠で囲まれた撮像空間１０５を備え、その一側面には画像出力装置１０１が設置される。撮像空間１０５の左右両側面には出入口を設け、出入口カーテン１０６は、利用者の出入口であると共に、撮影の適性化、およびプライバシーの確保のため備えられている。出入口の両端に人の出入りを感知する人体検知センサー１０２が配置される。画像出力装置１０１の正面上部と、天井部中央にはストロボ発光するストロボ１０３を備える。
【００２９】
画像出力装置１０１の上段部正面には、タッチパネル付きモニタ等であるモニタ画面２０１が配置されている。モニタ画面２０１は、操作の案内や、操作の状況や、読み取った画像或いは編集加工した画像等を表示する表示手段としての機能を発揮する。
【００３０】
モニタ画面２０１の画面の横には、メディア挿入口２０２が設置される。上段部と下段部を分けている水平部には、プリント物の画像を読み取ってデジタルデータ化するスキャナ面２０３が設置される。また、モニタ画面２０１の画面の上には、デジタルカメラ等の撮像装置により被写体を撮像するためのレンズ窓２０４が設置される。
【００３１】
メディア挿入口２０２は、各種メディア（スマートメディア、コンパクトフラッシュ（登録商標）カード（ＣＦカード）、フロッピー（登録商標）ディスク、ＰＣカード、ＣＤ−ＲＯＭ等）の挿入口であり、フロッピー（登録商標）ディスク挿入口、ＣＤ−ＲＯＭ挿入口、ＰＣカード挿入口、スマートメディア挿入口、コンパクトフラッシュ（登録商標）挿入口等がひとまとめの位置に配置されている。
【００３２】
画像出力装置１０１の下段部には、プリント物取出口２１０、スピーカ２１１、メンテナンス扉２１２、荷物ネット２１４等が設置され、更に、料金投入口、返却口、レシート取出口等を備える。
プリント物取出口２１０は、プリント手段の一部を構成する。利用者は、タッチパネルボタンに触れるなどしてプリント実行を指示した後、プリント物取出口２１０から放出されるプリント物１２４、収納ケース１２５等を受け取る。
【００３３】
スピーカ２１１は、待機中や操作中に音声、ＢＧＭ、効果音などを再生したり、荷物ネット２１４内の荷物の置き忘れに対する警報や、音声出力を行う。
【００３４】
荷物ネット２１４は、画像出力装置１０１のメンテナンス扉２１２部分に設置される。荷物ネット２１４は、ネットや、布状のシート等からなり、袋状にすることで荷物を置くことができる。また、荷物ネット２１４には、重量検知センサー２１５が備えられる。重量検知センサー２１５は、荷物等の重量を感知する。
【００３５】
次に、図３を参照しながら、画像出力装置１０１の概略構成について説明する。
図３は、画像出力装置１０１のハードウェア構成図である。
【００３６】
画像出力装置１０１は、制御部３０１、ハードディスク３０２、入出力部３０３（ＣＤ−ＲＯＭドライブ装置、キーボード、マウス等）、デジタルカメラ３０５、スキャナ３０６、各種メディア読取書込部３０７（１〜ｎ）、シャッタ３０８（１〜ｎ）、モニタ３０９（タッチパネル付き）、コインメック３１０、ビルバリ３１１、レシートジャーナル処理部３１２、プリンタ３１３、検知部３１４、音源部等３１５が、バス３１６を介して接続される。
【００３７】
制御部３０１は、ＣＰＵ、ＲＯＭ、ＲＡＭ等で構成され、大容量記憶媒体としてのハードディスク３０２に格納されたプログラムに従って、バス３１６を介して接続された各装置を駆動制御する。
【００３８】
ハードディスク３０２には、各構成部分を駆動制御するプログラム、例えば各記録媒体１２３に対応する読取書込プログラム、シャッタの開閉制御プログラム、課金プログラム等の他に、画像編集合成手段１１２の一部として入力または選択された画像を編集加工するための画像処理プログラム、間引きデータを作ってインデックスデータを作成する画像処理プログラム、注文内容入力手段１１５の一部として対話型メニューをモニタ３０９に表示し、プリント手段１１４に対してプリント条件を設定して、プリント開始を指示するプログラム、および、画像の合成に用いるフレーム、背景画像、ぬりえ用の線画イラスト画像等の画像データを記憶した素材データベース１１３が格納されている。
【００３９】
これらの各プログラムコードは、制御部３０１により必要に応じて読み出されてＲＡＭに移され、ＣＰＵに読み出されて各種の手段として実行される。
【００４０】
入出力部３０３（ＣＤ−ＲＯＭドライブ装置、キーボード、マウス等）は、制御部３０１のＲＯＭやハードディスク３０２に記憶されているプログラムや情報をバージョンアップ、あるいは、画像プリントシステムの動作設定、機器設定等の設定を行う際に用いられ、メンテナンスキーにより本体部を管理モードに切り替えて、入出力部３０３にバージョンアップ用のＣＤ−ＲＯＭを挿入し、データの書き換えを行ったり、設定データを入力して設定を行う。
【００４１】
デジタルカメラ３０５、スキャナ３０６、各種メディア読取書込部３０７（１〜ｎ）は、画像データ読込書込手段１１１に相当する。
シャッタ３０８は、記録媒体挿入口に設けられ、当該記録媒体挿入口を開閉し、読取処理の最中に記録媒体を取り出せないようにしたり、課金処理が完了するまで記録媒体を取り出せないようにすることができる。
【００４２】
モニタ３０９に表示された操作案内に従って、同モニタ３０９に表示されたタッチパネルボタンを選択し触れることにより、プリントモードの選択およびオリジナル画像データの読み込みから、加工、合成編集、プリント物１２４の出力までの一連の操作を行うことができる。
【００４３】
コインメック３１０、ビルバリ３１１、レシートジャーナル処理部３１２は、課金手段１１６に相当し、硬貨投入、紙幣挿入を受け付けたり、レシートの発行を行う。
プリンタ３１３は、プリント手段１１４に相当し、画像の印刷出力処理を行う。
【００４４】
検知部３１４は、荷物監視手段１１７に相当し、人体検知センサー１０２からの検知信号を受信し人の出入りを感知したり、重量検知センサー２１５により荷物ネット２１４内の荷物を感知する。
音源部３１５は、スピーカー２１１から、待機中や操作中に音声、ＢＧＭ、効果音などを出力したり、荷物ネット２１４内の荷物の置き忘れに対する警報や、音声出力を行う。
【００４５】
次に、図４を参照しながら、画像出力装置１０１の動作について説明する。
図４は、画像出力装置１０１の動作を示すフローチャートである。
【００４６】
画像出力装置１０１は、荷物監視処理を稼動する（ステップ４０１）。荷物監視処理は、次に述べるステップ４０２〜ステップ４０９の処理と、並列的に同時に実行する。荷物監視処理は、後述、説明する。
【００４７】
画像出力装置１０１は、サービスの内容、手順、案内等を示すメニュー画面を表示し、利用者に機能選択させる。（ステップ４０２）。
【００４８】
画像出力装置１０１は、画像データを取得する（ステップ４０３）。利用者は、画像データの入力に際し、記録媒体１２３からの読み取り、スキャナからの読み取り、撮像装置（デジタルカメラ等）による被写体の撮像等の方法を選択する。
【００４９】
画像出力装置１０１は、利用者の指示に基づいて、画像の加工、編集、合成等を行う（ステップ４０４）。画像の加工、編集、合成は、例えば、入力画像データ同士、フレーム画像、既存画像等の合成、塗色、文字入力、移動、拡大・縮小、はがきデータ作成等である。
【００５０】
画像出力装置１０１は、利用者の注文内容（出力形態（写真プリント、シールプリント、インデックスプリント、はがきプリント等）、プリント枚数等）に応じて、課金処理、レシート発行処理を行う（ステップ４０５）。
【００５１】
画像出力装置１０１は、色修正、リサイズ、トリミング、レイアウト、文字・ロゴ合成等の画像処理を行い（ステップ４０６）、画像処理した画像データをハードディスク装置等に保持し（ステップ４０７）、出力可能状態となったプリンタ装置に当該画像データを転送し、印刷出力処理を行う（ステップ４０８）。
【００５２】
画像出力装置１０１は、プリント出力されたプリント物１２４のプリントサイズの最大なものに合わせて、収納ケース１２５を選択し、取出口に出力する（ステップ４０９）。
画像プリントシステム１００の稼働を続ける場合（ステップ４１０のＮｏ）、画像出力装置１０１は、ステップ４０１〜ステップ４１０までの処理を繰り返す。
【００５３】
次に、荷物監視処理（ステップ４０１）について、詳しく説明する。図５は、荷物監視処理の動作を示すフローチャートである。図６は、荷物ネット２１４を示す。
【００５４】
図５に示すように、画像出力装置１０１の荷物監視処理は、荷物ネット２１４の重量検知センサー２１５からの検知信号を受信し（ステップ５０１のＹｅｓ）、撮影空間１０５の出入口の人体検知センサー１０２から検知信号を受信した場合（ステップ５０２のＹｅｓ）（すなわち、重量検知センサー２１５からの検知信号と、人体検知センサー１０２からの検知信号との論理積により）、スピーカー２１１から「忘れ物注意」を促す警報音、又は音声出力を行う（ステップ５０３）。
画像プリントシステム１００の稼働を続ける場合（ステップ５０４のＮｏ）、画像出力装置１０１は、ステップ５０１〜ステップ５０３までの処理を繰り返す。
【００５５】
例えば、図６（ａ）に示すように、荷物ネット２１４未使用時には、荷物ネット２１４は、垂れ下がっているか、又はロール状に丸めた状態である。次に、図６（ｂ）に示すように、利用者が荷物６０３を荷物ネット２１４に入れ、袋状にすると（荷物ネット２１４使用時）、重量検知センサー２１５が、荷物監視処理６０１へ検知信号６０２を送り、荷物監視処理６０１は、人体検知センサー１０２により、人の出入りを監視する。荷物ネット２１４に荷物６０３が入っている状態で、出入口から外へ出ると、警報が出力される。
【００５６】
次に、プリント物１２４に応じた収納ケース１２５を選択、出力する処理（ステップ４０９）について説明する。図７は、プリント物１２４に応じた収納ケース１２５を選択を示す。
【００５７】
図７に示すように、収納ケース１２５は、プリント物１２４（撮像による証明写真、デジタルカメラ画像等による写真、シールプリント、はがき等）のプリントサイズから、例えば、大、中、小等の種類の収納ケース１２５−１、１２５−２、１２５−３等を有する。
例えば、ケース１に示すように、画像出力装置１０１は、プリント物１２４−１（デジタルカメラ画像等による通常の写真）と、プリント物１２４−２（シールプリント）をプリント出力すると、プリント物１２４の中の最大プリントサイズであるプリント物１２４−２に合わせた、収納ケース１２５−１を選択し、プリント物取出口２１０に排出する。また、ケース２に示すように、画像出力装置１０１は、プリント物１２４−１（デジタルカメラ画像等による通常の写真）をプリント出力すると、最大プリントサイズであるプリント物１２４−１に合わせた、収納ケース１２５−２を選択し、プリント物取出口２１０に排出する。
【００５８】
以上説明したように、本発明の実施の形態によれば、画像プリントシステム１００は、撮影空間の出入口に人体検知センサー１０２を設置し、画像出力装置１０１に重量検知センサー２１５を有する荷物ネット２１４を取り付ける。利用者が荷物ネット２１４に荷物を置き、荷物が入った状態で外に出ると、画像出力装置１０１は、重量検知センサーからの検知信号と、人体検知センサーからの検知信号を受信し、警報、又は音声出力を行うことにより、荷物の置き忘れを防止し、更に、撮影ボックス内での盗難を防止する。
【００５９】
また、画像出力装置１０１は、印刷出力されたプリントサイズの最大なプリント物１２４に合わせて、収納ケース１２５を選択し、プリント物取出口に排出することにより、プリントアウトした写真等のプリント物を保護する。
【００６０】
尚、本実施の形態では、荷物置き部として荷物ネットを使用したが、重量検知センサーを備えるドリンクホルダー等を設置してもよく、例えば、ジュースの飲み残しに対して、警告を促す。
【００６１】
以上、添付図面を参照しながら、本発明にかかる画像プリントシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【００６２】
【発明の効果】
以上、詳細に説明したように本発明によれば、置き忘れ防止機能付き荷物置き部を有し、プリント物の収納ケース出力を可能にする画像プリントシステム等を提供することができる。
【図面の簡単な説明】
【図１】画像プリントシステム１００の構成を示すブロック図
【図２】画像プリントシステム１００の概略斜視図
【図３】画像出力装置１０１のハードウェア構成図
【図４】画像出力装置１０１の動作を示すフローチャート
【図５】荷物監視処理を示すフローチャート
【図６】荷物ネットを示す図
【図７】プリント物１２４に応じた収納ケース１２５を選択を示す図
【符号の説明】
１００………画像プリントシステム
１０１………画像出力装置
１０２………人体検知センサー
１０３………ストロボ
１０５………撮影空間
１１１………画像データ読込書込手段
１１２………画像編集合成手段
１１３………素材データベース
１１４………プリント手段
１１５………注文内容入力手段
１１６………課金手段
１１７………荷物監視手段
１１８………収納ケース出力手段
１２５………収納ケース
２１１………スピーカー
２１４………荷物ネット
２１５………重量検知センサー
【図１】
2004295529.tif 000003
【図２】
2004295529.tif 000004
【図３】
2004295529.tif 000005
【図４】
2004295529.tif 000006
【図５】
2004295529.tif 000007
【図６】
2004295529.tif 000008
【図７】
2004295529.tif 000009